(57)【要約】【課題】  オシロスコープの表示画面上に現れる観測波形の撮像を行う際に、特に専用の機能を有さない一般的なカメラによって、所望の観測波形の静止画を、簡単、かつ明瞭に撮像できるようにする。【解決手段】  トリガ信号発生装置（撮像補助装置）４００の初回パルス検出回路４０４が、カメラ本体１００による撮像タイミングに合わせて発光するストロボ発光部１０１からの光に基づいた電気信号と、撮像対象となる観測波形に係る観測信号３０２又はこの観測信号に同期する外部同期信号３０４とを受信できるように構成されている。初回パルス検出回路は、ストロボ発光部からの光に基づいた電気信号を受けると、上記の観測信号又は外部同期信号に基づいて、外部トリガ信号４１０を生成する。外部トリガ信号は、オシロスコープ２００に供給され、オシロスコープはこの外部トリガ信号の受信に応じて、観測波形の表示に係る掃引を開始する。【選択図】  図１
2006220463.tif 000002
【特許請求の範囲】
【請求項１】
波形表示器の表示画面に表示される観測波形を撮像装置によって撮像する際に使用される撮像補助装置であって、
前記撮像装置による撮像の際に、前記撮像装置のストロボ発光部から発せられる光を受光する受光手段と、
前記受光手段により受光された光に基づき、電気信号を出力する出力手段と、
前記出力手段から出力された電気信号を受けるとともに、前記観測波形に係る観測信号及び前記観測信号に同期した同期信号の少なくとも一方を受け、前記電気信号を受けたタイミングで、前記観測信号及び前記同期信号の少なくとも一方に基づいて、前記波形表示器に対して前記波形表示器の掃引開始指示を行うための外部トリガ信号を出力する外部トリガ信号生成手段とを、
有する撮像補助装置。
【発明の詳細な説明】
【技術分野】
【０００１】
本発明は、回路などの被測定物における電流値や電圧値を観測するための波形表示器（例えばオシロスコープ）の表示画面を撮像装置（カメラ）で撮像する技術に関する。
【背景技術】
【０００２】
デジタル方式のオシロスコープでは、オシロスコープの表示画面を撮像しなくても所望の被測定物の観測波形を静止画で容易に取得できるが、広く普及しているアナログ方式のオシロスコープの場合には、一般的に、撮像装置で撮像することによって、観測波形の静止画を取得する。
【０００３】
一般に、オシロスコープは、観測したい電気信号や、観測波形の表示開始位置を制御するための信号（以下、外部トリガ信号と呼ぶ）が、あらかじめ設定されたレベルを上回った瞬間（あるいは、下回った瞬間）から表示画面上に表示を開始し、オシロスコープ上であらかじめ指定された掃引時間の期間だけ観測波形を表示する。この波形表示は、点光源（輝点）が、観測したい電気信号のレベルに応じて上下方向に移動しつつ、あらかじめ指定された掃引時間だけ、水平方向（左から右）に移動（掃引）することで行われる。
【０００４】
また、オシロスコープの表示画面を撮像するカメラには、広く一般的に市販されているカメラが用いられ、例えば、化学的手段を用いたカメラ（以下、フィルムカメラと呼ぶ）や、電気的手段を用いたカメラ（以下、デジタルカメラと呼ぶ）が用いられる。フィルムカメラは、感光材料が塗布されたフィルムが被写体の像が結像する撮像面に置かれて、このフィルム上に撮像画像が定着するように構成されている。一方、デジタルカメラは、光電変換素子が平面状に並べられた撮像素子が被写体の像が結像する撮像面に置かれ、撮像光は、電気的に処理されて、所定の情報記録媒体に記録される。
【０００５】
また、カメラには、露光量を制御（結像面までの光路の光量を制限）する絞り機構や、露光時間を制御（光路の開放を制限）するシャッタが設けられており、上記の露光量及び露光時間、更には撮像面上の感度の関係によって、撮像される静止画の露出量（静止画の明暗を決める量）が定まる。なお、デジタルカメラでは、撮像素子の光電変換制御などによって、上述した絞り機構やシャッタなどの機能が制御される。
【０００６】
オシロスコープの表示画面上の被写体は、一定の明るさを持った点光源であり、かつ、その点光源は、時間と共に移動するとともに一定の明るさを発している時間が決まっている。したがって、この点光源の軌跡を撮像するためには、点光源が発光している時間と同一又はそれ以上の時間を、露光時間として設定する必要がある。また、さらに、点光源が発光している時間とカメラが露光している時間とを同一のタイミングとする必要がある。すなわち、オシロスコープの表示画面を撮像する場合には、点光源の掃引時間と同一又はそれ以上の時間を露光時間として選択した上で、点光源の掃引時間の開始タイミングと、露光時間の開始タイミングとを合わせるなどの設定を行う必要がある。
【０００７】
また、例えば、下記の特許文献１には、オシロスコープの表示画面を撮像するための技術が開示されている。この特許文献１に開示されているカメラは、オシロスコープの制御部から出力される表示の輝度情報、トリガ信号情報、掃引スピード情報などをカメラに供給するためのアタッチメントを取り付けることによって、カメラの制御部において、撮像制御を行うように構成されている。
【特許文献１】特開平７−１５４６６０号公報（図８、段落００１４）
【発明の開示】
【発明が解決しようとする課題】
【０００８】
しかしながら、特許文献１に開示されているカメラは、オシロスコープの表示画面の撮像用に構成されたものであり、広く一般に市販されているカメラは、オシロスコープの表示画面の撮像用の機能を有しておらず、例えば、露光時間に任意の値を選べなかったり、露光開始のタイミングをカメラの外部から指示できなかったりするものがほとんどである。こうしたことから、オシロスコープの表示画面の撮像は、その掃引時間に対し、カメラが選択し得るやや長めの露光時間を選択して撮影することがほとんどである。
【０００９】
このとき、観測したい信号（観測信号）の周期がオシロスコープの掃引時間の整数分の１の関係にない場合、観測信号の品質が良くない場合、観測信号に周期性がない場合などには、最初の掃引によって描かれた波形と、次の掃引によって描かれた波形とが、表示画面上で同一の軌跡を描かないため、最初の掃引に係る波形と次の掃引に係る波形が二重に写ってしまう可能性がある。このような問題の防止策としては、オシロスコープをシングルトリガモード（一回だけ掃引をするモード）で待機状態にしてからカメラの露光を開始させ、露光開始後に何らかの人的操作を伴って単発掃引を行わせる方法が考えられる。
【００１０】
上記の方法は、設備などの追加を特に伴わず、簡単に目的を達成することが可能な方法ではあるが、人的操作が伴うことやカメラそのものの持つ応答速度の関係から、必要な露光時間に対して、かなり長い時間の露光時間を選択する必要があるという課題がある。また、暗電流ノイズの蓄積などによって静止画の画質が損なわれやすいという課題もある。さらに、人的操作を行う際に、カメラがぶれてしまう可能性があるという課題もある。
【００１１】
上記課題に鑑み、本発明は、オシロスコープの表示画面上に現れる観測波形の撮像を行う際に、特に専用の機能を有さない一般的なカメラによって、所望の観測波形の静止画を、簡単、かつ明瞭に撮像することを可能とする撮像補助装置を提供することを目的とする。
【課題を解決するための手段】
【００１２】
上記目的を達成するため、本発明によれば、波形表示器の表示画面に表示される観測波形を撮像装置によって撮像する際に使用される撮像補助装置であって、
前記撮像装置による撮像の際に、前記撮像装置のストロボ発光部から発せられる光を受光する受光手段と、
前記受光手段により受光された光に基づき、電気信号を出力する出力手段と、
前記出力手段から出力された電気信号を受けるとともに、前記観測波形に係る観測信号及び前記観測信号に同期した同期信号の少なくとも一方を受け、前記電気信号を受けたタイミングで、前記観測信号及び前記同期信号の少なくとも一方に基づいて、前記波形表示器に対して前記波形表示器の掃引開始指示を行うための外部トリガ信号を出力する外部トリガ信号生成手段とを、
有する撮像補助装置が提供される。
【発明の効果】
【００１３】
本発明の撮像補助装置は、上記構成を有しており、オシロスコープの表示画面上に現れる観測波形の撮像を行う際に、特に専用の機能を有さない一般的なカメラによって、所望の観測波形の静止画を、簡単、かつ明瞭に撮像できるようにするという効果を有している。
【発明を実施するための最良の形態】
【００１４】
以下、図面を参照しながら、本発明の第１及び第２の実施の形態について説明する。
【００１５】
＜第１の実施の形態＞
まず、本発明の第１の実施の形態について説明する。図１は、本発明の第１の実施の形態における撮像補助装置を含む撮像システムの構成例を示す図である。まず、図１に示す撮像システムの各構成要素について説明する。
【００１６】
図１に図示されている撮像システムは、カメラ本体１００と、オシロスコープ本体２００と、被測定物（測定対象物）３００と、トリガ信号発生装置（撮像補助装置）４００とを有している。以下、カメラ本体１００、オシロスコープ本体２００、被測定物３００、トリガ信号発生装置４００のそれぞれに係る構成について説明する。
【００１７】
図１に示すカメラ本体１００は、ストロボ発光部１０１、遮光フード１０２、レリーズボタン（シャッタボタン）１０３を有している。ストロボ発光部１０１は、カメラ本体１００と電気的に接続されており、カメラ本体１００による撮像タイミングに合わせて、発光を行う装置である。なお、このストロボ発光部１０１による発光時間は、カメラの露光時間より十分短く、また、立ち上がり時間が短いという特徴を有している。また、遮光フード１０２は、カメラ本体１００のレンズ部（不図示）に取り付けられ、オシロスコープ本体２００の表示画面２０１の撮像に係る光量が適切となるように調整するために、外部からの光（オシロスコープ本体２００の表示画面２０１以外からの光、特に、ストロボ発光部１０１から発光されるストロボ光）を遮光するための手段である。また、レリーズボタン１０３は、カメラ本体１００の操作者が撮像タイミングを決定し、指示するための入力手段である。なお、上述のカメラ本体１００は、従来の技術に係る通常の撮像用器材によって実現可能である。
【００１８】
また、図１に示すオシロスコープ本体２００は、表示画面（管面）２０１、観測波形入力端子２０２、外部トリガ入力端子２０３を有している。表示画面２０１は、例えば、ＣＲＴ（Cathode-Ray Tube：陰極線管）モニタなどにより構成されており、オシロスコープ本体２００によって観測された観測波形を視覚的に表示するための手段である。また、観測波形入力端子２０２は、観測対象となる被測定物３００から、観測信号（電気信号）３０２を取得するための入力手段である。なお、図１では、ＣＨ１及びＣＨ２の２つの観測波形入力端子が図示されている。また、外部トリガ入力端子２０３は、外部からのトリガ信号（外部トリガ信号４１０）を取得するための入力手段である。オシロスコープ本体２００は、例えば、この外部トリガ信号４１０の入力によって掃引が開始されるトリガ掃引方式を有している。なお、上述のオシロスコープ本体２００は、従来の技術に係る通常のオシロスコープによって実現可能である。
【００１９】
また、図１に示す被測定物３００は、観測信号観測端子３０１、外部同期信号観測端子３０３を有している。観測信号観測端子３０１は、オシロスコープ本体２００によって被測定物３００の観測を行う際に、その観測対象となる観測信号を出力する部位又は出力端子である。また、外部同期信号観測端子３０３は、被測定物３００が所定の外部同期信号３０４を出力する部位又は出力端子である。なお、ここでは、被測定物３００の観測信号観測端子３０１から出力される観測信号３０２は、外部同期信号３０４に同期した周期性を持っており、観測信号３０２の波形から、外部同期信号３０４と同期した信号を検出することが可能であるものとする。
【００２０】
また、図１に示すトリガ信号発生装置４００は、受光素子４０１、波形整形回路４０２、ゲート信号発生回路４０３、初回パルス検出回路（外部トリガ信号生成部）４０４、入力信号増幅回路４０５、レベル比較回路４０６、基準レベル供給部４０７、切替スイッチ４０８、観測信号入力端子４１１、外部同期信号入力端子４１２を有している。
【００２１】
受光素子４０１は、外部から受けた光を電気信号に変換して出力することが可能な手段である。この受光素子４０１は、カメラ本体１００のストロボ発光部１０１によって発光されるストロボ光を受光できる位置に配置される。また、波形整形回路４０２は、上記の受光素子４０１から出力された電気信号の波形を、後段に接続されているゲート信号発生回路４０３において処理可能なように整形するための手段である。また、ゲート信号発生回路４０３は、上記の波形整形回路４０２から出力された電気信号（波形整形後の電気信号）を受けて、後段の初回パルス検出回路４０４に供給するゲート信号を生成するための手段である。また、ゲート信号発生回路４０３は、初回パルス検出回路４０４から出力される外部トリガ信号４１０をリセット信号４０９として受けて、再び波形整形回路４０２からの電気信号を待ち受ける初期状態に戻るように構成されてもよい。
【００２２】
一方、被測定物３００の観測信号観測端子３０１から出力される観測信号３０２が観測信号入力端子４１１に供給されるように、観測信号観測端子３０１と観測信号入力端子４１１とは、電気的に接続可能である。観測信号入力端子４１１に供給された観測信号３０２は、入力信号増幅回路４０５に供給される。入力信号増幅回路４０５は、所定の増幅率によって、観測信号３０２の増幅処理を行い、増幅後の電気信号をレベル比較回路４０６に供給する。
【００２３】
また、レベル比較回路４０６は、２つの入力端子を有しており、一方の入力端子が入力信号増幅回路４０５に接続されており、他方の入力端子が基準レベル供給部４０７に接続されている。基準レベル供給部４０７は、所定の基準レベルを有する電気信号をレベル比較回路４０６に供給する手段であり、レベル比較回路４０６は、入力信号増幅回路４０５から供給される電気信号（増幅後の電気信号）のレベルと、基準レベル供給部４０７から供給される一定の基準レベルを有する電気信号のレベルとの比較を行う。そして、入力信号増幅回路４０５から供給される電気信号のレベルが、基準レベル供給部４０７から供給される電気信号の基準レベルを上回った場合には、切替スイッチ４０８の入力端子ａに対して同期信号を出力する。なお、同期信号は、観測信号３０２と同期した信号である。
【００２４】
また、被測定物３００の外部同期信号観測端子３０３から出力される外部同期信号３０４が外部同期信号入力端子４１２に供給されるように、外部同期信号観測端子３０３と外部同期信号入力端子４１２とは、電気的に接続可能である。外部同期信号入力端子４１２に供給された外部同期信号３０４は、切替スイッチ４０８の入力端子ｂに供給される。
【００２５】
また、切替スイッチ４０８は、上述のように、観測信号３０２に基づく同期信号を受けることが可能な入力端子ａと、外部同期信号３０４を受けることが可能な入力端子ｂとを有しており、操作者によるスイッチの切り替えによって、入力端子ａ、ｂのいずれか一方で受けた電気信号を、初回パルス検出回路４０４に供給する手段である。
【００２６】
初回パルス検出回路４０４は、切替スイッチ４０８から、観測信号３０２に基づく同期信号、又は外部同期信号３０４を受けるとともに、カメラ本体１００によってオシロスコープ本体２００の表示画面２０１を撮像する際には、ストロボ発光部１０１から発光される光に基づいたゲート信号を受ける。そして、このゲート信号の入力タイミングに応じて、レベル比較回路４０６からの同期信号又は外部同期信号３０４を外部トリガ信号４１０として、外部トリガ出力端子４１３を介して外部に出力する。なお、初回パルス検出回路４０４は、ゲート信号が供給された直後の最初の同期信号又は外部同期信号３０４を、外部トリガ信号４１０のパルスとして出力することが望ましい。
【００２７】
次に、本発明の第１の実施の形態において、カメラ本体１００によって、オシロスコープ本体２００の表示画面２０１を撮像する際の撮像システム全体の動作について説明する。
【００２８】
まず、操作者は、オシロスコープ本体２００の表示画面２０１を撮像できるようにするとともに、カメラ本体１００のストロボ発光部１０１から発光されるストロボ光が、トリガ信号発生装置４００の受光素子４０１に供給されるように、カメラ本体１００、オシロスコープ本体２００、トリガ信号発生装置４００の設置を行う。また、観測信号観測端子３０１と観測波形入力端子２０２との間を電気的に接続するとともに、観測信号観測端子３０１と観測信号入力端子４１１との間、及び外部同期信号観測端子３０３と外部同期信号入力端子４１２との間の少なくとも一方を電気的に接続する。また、オシロスコープ本体２００の外部トリガ入力端子２０３と、トリガ信号発生装置４００の外部トリガ出力端子４１３とを電気的に接続する。
【００２９】
また、操作者は、オシロスコープ本体２００の掃引方式を上述のトリガ掃引方式に設定するとともに、接続を行った入力端子に基づく電気信号が初回パルス検出回路４０４に供給されるように、トリガ信号発生装置４００の切替スイッチ４０８の設定を行う。また、カメラ本体１００の露光時間に関しては、オシロスコープ本体２００の掃引時間よりもやや長めの時間か、あるいは同一時間に設定されることが望ましい。
【００３０】
このように各構成要素における設定、配置や接続などが準備された状態で、操作者は、カメラ本体１００のレリーズボタン１０３を押下する。このとき、ストロボ発光部１０１からストロボ光が発光されるとともに、カメラ本体１００による撮像が開始される。ストロボ光を受けた受光素子４０１は、電気信号を出力し、この電気信号に基づく信号は、波形整形回路４０２及びゲート信号発生回路４０３を経て、ゲート信号として、初回パルス検出回路４０４に供給され、初回パルス検出回路４０４から外部トリガ信号４１０が出力される。
【００３１】
外部トリガ信号４１０は、オシロスコープ本体２００の外部トリガ入力端子２０３に供給される。この外部トリガ信号４１０に応じて、オシロスコープ本体２００は、表示画面２０１上における点光源の表示及び移動を開始し、観測波形入力端子２０２から供給される観測信号３０２の観測波形が表示画面２０１に表示される。そして、カメラ本体１００は、この点光源の移動によって表示された観測信号３０２の観測波形の撮像を行う。
【００３２】
以上、説明したように、本発明の第１の実施の形態における撮像補助装置を含む撮像システムによれば、オシロスコープ本体２００の表示画面２０１を撮像する撮像タイミングに同期してカメラ本体１００のストロボ発光部１０１から発光される光に基づいて、被測定物３００の観測信号３０２と同期した外部トリガ信号４１０を生成し、この外部トリガ信号４１０によって、オシロスコープ本体２００の掃引を開始することができるので、カメラ本体１００による撮像の露光開始タイミングと同時に又はそれほど遅れることなく、オシロスコープ本体２００の掃引を自動的に引き起こさせることが可能となる。また、カメラ本体１００の露光開始タイミングと、オシロスコープ本体２００の掃引開始タイミングとの時間差をほとんどない状態とすることが可能なので、カメラ本体１００の露光時間を必要以上に長く設定する必要がなくなり、表示画面２０１がＣＲＴの場合に、暗電流の蓄積による画質劣化を抑制することが可能となる。また、長時間の露光時間を設定したり、その露光時間中に操作者が他の操作を行ったりする必要がなくなることで、例えば、カメラ本体１００が固定されていない状態（操作者がカメラ本体１００を手に持った状態）で撮像した場合でも、手ぶれを生じにくくすることが可能となる。
【００３３】
なお、上述の本発明の第１の実施の形態では、トリガ信号発生装置４００に切替スイッチ４０８を設け、観測信号入力端子４１１及び外部同期信号入力端子４１２のいずれか一方からの信号に同期した外部トリガ信号４１０を出力するように構成されているが、必ずしも切替スイッチ４０８を設ける必要はない。すなわち、トリガ信号発生装置４００が、外部同期信号入力端子４１２を設けずに、レベル比較回路４０６から初回パルス検出回路４０４に対して、直接電気信号が供給されるような構成や、外部同期信号入力端子４１２から初回パルス検出回路４０４に対して、直接電気信号が供給されるような構成とすることが可能である。
【００３４】
＜第２の実施の形態＞
次に、本発明の第２の実施の形態について説明する。図２は、本発明の第２の実施の形態における撮像補助装置を含む撮像システムの構成例を示す図である。まず、図２に示す撮像システムの各構成要素について説明する。
【００３５】
図２に図示されている撮像システムは、カメラ本体１００と、オシロスコープ本体２００と、被測定物（測定対象物）３００と、トリガ信号発生装置（撮像補助装置）５００とを有している。なお、オシロスコープ本体２００に係る構成は、上述の本発明の第１の実施の形態と同一であり、説明を省略する。
【００３６】
図２に示すカメラ本体１００は、上述の本発明の第１の実施の形態と同様にストロボ発光部１０１、遮光フード１０２、レリーズボタン１０３を有しているが、さらに、プリ発光機能を有している。プリ発光機能は、多くのカメラに設けられている機能であり、人物のストロボ撮像時に、被写体となる人物の眼が赤く光る赤目現象を防止するために、露光開始前（例えば、１〜２秒前）にストロボをプリ発光させる機能である。
【００３７】
また、図２に示す被測定物３００は、上述の本発明の第１の実施の形態で説明した観測信号観測端子３０１に加えて、外部起動信号入力端子３０５を有している。外部起動信号入力端子３０５は、外部から外部起動信号５０６を受けるための入力端子である。被測定物３００は、この外部起動信号入力端子３０５において外部起動信号５０６を受けた場合には、所定の動作が起動される。その結果、観測信号観測端子３０１から、観測信号３０２が出力される。
【００３８】
また、図２に示すトリガ信号発生装置５００は、受光素子５０１、波形整形回路５０２、本発光検出回路５０３、プリ発光検出回路５０４、タイマ５０５を有している。
【００３９】
図２に示す受光素子５０１及び波形整形回路５０２は、上述の本発明の第１の実施の形態における受光素子４０１及び波形整形回路４０２と同一である。波形整形回路５０２から出力される電気信号（波形整形後の電気信号）は、本発光検出回路５０３及びプリ発光検出回路５０４の両方に供給されるように構成されている。
【００４０】
プリ発光検出回路５０４は、カメラ本体１００のストロボ発光部１０１から受けたプリ発光を認知する機能を有している。プリ発光を認知したプリ発光検出回路５０４は、タイマ５０５に対して、タイマ起動信号を出力する。なお、このタイマ起動信号は、本発光検出回路５０３にも供給される。タイマ５０５は、プリ発光検出回路５０４からタイマ起動信号を受けた後、所定の時間（遅延時間）だけ遅延させて、外部起動信号出力端子５１０を介して外部起動信号５０６を外部に出力する。なお、タイマ５０５における遅延時間は、被測定物３００が外部起動信号５０６を受けてから所定の動作を達成するまでの時間に応じて、任意に調整可能とすることが望ましい。
【００４１】
また、本発光検出回路５０３は、プリ発光検出回路５０４からタイマ起動信号を受けて、カメラ本体１００のストロボ発光部１０１からの本発光の入力待ち受け状態となる。本発光検出回路５０３は、本発光の待ち受け状態となってから、入力されたストロボ発光に基づいて波形整形回路５０２から出力される電気信号を本発光に係る電気信号とみなし、この本発光に係る電気信号を受けた場合には、外部トリガ出力端子５０９を介して外部トリガ信号５０８を外部に出力する。なお、本発光検出回路５０３は、本発光検出回路５０３自身から出力される外部トリガ信号５０８をリセット信号５０７として受けて、再びプリ発光検出回路５０４からのタイマ起動信号を待ち受ける初期状態に戻るように構成されてもよい。
【００４２】
次に、本発明の第２の実施の形態において、カメラ本体１００によって、オシロスコープ本体２００の表示画面２０１を撮像する際の撮像システム全体の動作について説明する。
【００４３】
まず、操作者は、オシロスコープ本体２００の表示画面２０１を撮像できるようにするとともに、カメラ本体１００のストロボ発光部１０１から発光されるストロボ光が、トリガ信号発生装置５００の受光素子５０１に供給されるように、カメラ本体１００、オシロスコープ本体２００、トリガ信号発生装置５００の設置を行う。また、観測信号観測端子３０１と観測波形入力端子２０２との間を電気的に接続するとともに、外部起動信号入力端子３０５と外部起動信号出力端子５１０との間、及び外部トリガ入力端子２０３と外部トリガ出力端子５０９との間を、それぞれ電気的に接続する。
【００４４】
また、操作者は、上述の本発明の第１の実施の形態と同様に、オシロスコープ本体２００の掃引方式をトリガ掃引方式に設定する。また、カメラ本体１００の露光時間に関しては、オシロスコープの掃引時間よりもやや長めの時間か、あるいは同一時間に設定されることが望ましい。
【００４５】
このように各構成要素における設定、配置や接続などが準備された状態で、操作者は、カメラ本体１００のレリーズボタン１０３を押下する。このとき、ストロボ発光部１０１からストロボ光がプリ発光される。ストロボ光を受けた受光素子５０１は、電気信号を出力し、この電気信号に基づく信号は、波形整形回路５０２を経て、プリ発光検出回路５０４に供給され、プリ発光検出回路５０４からタイマ起動信号が、本発光検出回路５０３及びタイマ５０５に供給される。
【００４６】
タイマ５０５は、所定の遅延時間だけ待った後、外部起動信号５０６を出力する。この外部起動信号５０６は、外部起動信号入力端子３０５と外部起動信号出力端子５１０との間の接続を経て、被測定物３００に供給され、被測定物３００の所定の動作を誘引する。一方、本発光検出回路５０３は、プリ発光検出回路５０４からタイマ起動信号を受けて、本発光の待ち受け状態となる。
【００４７】
トリガ信号発生装置５００から外部起動信号５０６を受けた被測定物３００は、所定の動作を開始し、その所定の動作に係る観測信号３０２は、観測信号観測端子３０１と観測波形入力端子２０２との間の接続を経て、オシロスコープ本体２００に供給される。
【００４８】
一方、被測定物３００における所定の動作の開始に並行して、ストロボ発光部１０１からは本発光が行われる。この本発光を受けた受光素子５０１は、電気信号を出力し、この電気信号に基づく信号は、波形整形回路５０２を経て、本発光検出回路５０３に供給される。本発光検出回路５０３は、本発光の待ち受け状態となっており、この本発光に係る電気信号を受けて、外部トリガ出力端子５０９から外部トリガ信号５０８を出力する。
【００４９】
外部トリガ信号５０８は、オシロスコープ本体２００の外部トリガ入力端子２０３に供給される。オシロスコープ本体２００は、この外部トリガ信号５０８に応じて、表示画面２０１上における点光源の表示及び移動を開始し、トリガ信号発生装置５００から外部起動信号５０６を受けた被測定物３００によって行われた所定の動作に係る観測信号３０２の観測波形が表示画面２０１に表示される。そして、カメラ本体１００は、この点光源の移動によって表示された観測信号３０２の観測波形の撮像を行う。
【００５０】
以上、説明したように、本発明の第２の実施の形態における撮像補助装置を含む撮像システムによれば、オシロスコープ本体２００の表示画面２０１を撮像する撮像タイミングの直前にカメラ本体１００のストロボ発光部１０１から発光されるプリ発光に基づいて、外部起動信号５０６を生成し、この外部起動信号５０６によって、被測定物３００の所定の動作を起動させるとともに、プリ発光後にストロボ発光部１０１から発光される本発光に基づいて、外部トリガ信号５０８を生成し、この外部トリガ信号によって、オシロスコープ本体２００の掃引を開始することができるので、カメラ本体１００による撮像の露光開始タイミング、被測定物３００による所定の動作（観測対象の動作）、オシロスコープ本体２００の掃引を同期させることが可能となる。これは、外部起動によって被測定物３００における単発現象をオシロスコープ本体２００によって観測する場合に、特に有用である。
【００５１】
なお、上述の本発明の第１及び第２の実施の形態では、カメラ本体１００のストロボ発光部１０１を利用して、トリガ信号発生装置４００、５００が、所定の信号生成タイミングを検出するように構成されているが、例えば、カメラ本体１００における撮像音や合焦を通知するメッセージ音などを利用して、所定の信号生成タイミングを検出するように構成することも可能である。
【産業上の利用可能性】
【００５２】
本発明の撮像補助装置は、オシロスコープの表示画面上に現れる観測波形の撮像を行う際に、特に専用の機能を有さない一般的なカメラによって、所望の観測波形の静止画を、簡単、かつ明瞭に撮像できるようにするという効果を有しており、回路などの被測定物における電流値や電圧値を観測するためのオシロスコープの表示画面を撮像装置で撮像する技術に適用可能である。
【図面の簡単な説明】
【００５３】
【図１】本発明の第１の実施の形態における撮像補助装置を含む撮像システムの構成例を示す図である。
【図２】本発明の第２の実施の形態における撮像補助装置を含む撮像システムの構成例を示す図である。
【符号の説明】
【００５４】
１００  カメラ本体
１０１  ストロボ発光部
１０２  遮光フード
１０３  レリーズボタン（シャッタボタン）
２００  オシロスコープ本体
２０１  表示画面（管面）
２０２  観測波形入力端子
２０３  外部トリガ入力端子
３００  被測定物（測定対象物）
３０１  観測信号観測端子
３０２  観測信号
３０３  外部同期信号観測端子
３０４  外部同期信号
３０５  外部起動信号入力端子
４００、５００  トリガ信号発生装置（撮像補助装置）
４０１、５０１  受光素子
４０２、５０２  波形整形回路
４０３  ゲート信号発生回路
４０４  初回パルス検出回路（外部トリガ信号生成部）
４０５  入力信号増幅回路
４０６  レベル比較回路
４０７  基準レベル供給部
４０８  切替スイッチ
４０９、５０７  リセット信号
４１０、５０８  外部トリガ信号
４１１  観測信号入力端子
４１２  外部同期信号入力端子
４１３、５０９  外部トリガ出力端子
５０３  本発光検出回路
５０４  プリ発光検出回路
５０５  タイマ
５０６  外部起動信号
５１０  外部起動信号出力端子
【図１】
2006220463.tif 000003
【図２】
2006220463.tif 000004